(57)【特許請求の範囲】
【請求項１】
ベース部材に組み込まれたレンズ群を通して撮像手段に光を入射させる光学装置であって、
前記ベース部材に、光軸に対して垂直な平面で移動自在に支持され、前記レンズ群を保持する保持部材と、
前記ベース部材に取り付けられ、前記保持部材を駆動し、前記レンズ群による像振れを補正する振れ補正駆動手段と、
前記ベース部材に組み込まれ、前記撮像手段に入射する光量を規制する光量規制手段と、
前記ベース部材に取り付けられ、前記光量規制手段を駆動する光量規制駆動手段と、
前記ベース部材に取り付けられ、前記振れ補正駆動手段および前記光量規制駆動手段が電気的に接続される基板とを備え、
前記振れ補正駆動手段の前記基板への電気的接続は、前記ベース部材における前記保持部材の組み込み側とは異なる側で行われ、
前記光量規制駆動手段の前記基板への電気的接続は、前記ベース部材における前記光量規制手段の組み込み側と異なる側で行われたことを特徴とする光学装置。
【請求項２】
前記光量規制駆動手段の前記基板への電気的接続は前記保持部材の組み込み側で行われ、前記振れ補正駆動手段の前記基板への電気的接続は前記光量規制手段の組み込み側で行われたことを特徴とする請求項１記載の光学装置。
【請求項３】
前記光量規制駆動手段の電気的接続が行われた前記基板の部分の近傍に、前記ベース部材の両側に配置された当該基板の一方の側と他方の側を連結する連結部が設けられたことを特徴とする請求項１または２記載の光学装置。
【請求項４】
前記基板は折り返し自在なフレキシブル基板からなり、
前記フレキシブル基板が折り返される前記連結部の近傍の位置付近に、前記フレキシブル基板に当接する凸部が設けられたことを特徴とする請求項３記載の光学装置。
【発明の詳細な説明】
【技術分野】
【０００１】
本発明は、ベース部材に光学部材が組み込まれた光学装置に関する。
【背景技術】
【０００２】
従来、デジタルカメラやビデオカメラには、手振れ等による像振れを抑制するために、カメラの振れ状況を検出部で検出し、その検出結果に応じて光学的にその振れを打ち消す像振れ補正装置が搭載されている。また、シャッタ機構、光量調節のための光学絞り、ＮＤフィルタ（減光フィルタ）等が搭載されている。
【０００３】
これら像振れ補正装置、シャッタ機構、光学絞り機構やＮＤフィルタ機構が同一のレンズ群および地板に配置されたカメラが提案されている（特許文献１参照）。ここで、「背景技術」の欄および「発明が解決しようとする課題」の欄で用いられている括弧付きの符号および図番は、特許文献１に記載されたものを表す。
【０００４】
このカメラでは、振れ補正機構の駆動部（コイル２２ａ，２２ｂ）、シャッタ機構の駆動部（アクチュエーター５１）およびＮＤフィルタ機構の駆動部（アクチュエーター５０）がベース（３１）の同一面側に配置されている。また、振れ補正機構のためのフレキシブル基板（４１）と、シャッタ機構やＮＤフィルタ機構のためのフレキシブル基板（４４）とが同一面側で電気的に接続されている。
【先行技術文献】
【特許文献】
【０００５】
【特許文献１】特開２００７−２１９３３８号公報
【発明の概要】
【発明が解決しようとする課題】
【０００６】
しかしながら、上記従来の光学装置、つまり特許文献１に開示された従来技術では、振れ補正機構、シャッタ機構およびＮＤフィルタ機構の駆動部が同一面側で電気的に接続されるように構成されているので、つぎのような問題があった。
【０００７】
フレキシブル基板（４１）、フレキシブル基板（４４）の順でベースに組み込まれるが、フレキシブル基板（４１）とコイル２２ａ，２２ｂとの半田による電気的接続は、フレキシブル基板（４４）を挟んだ状態で行われている。
【０００８】
このため、補正レンズホルダ（２７）の組換え時に、コイル（２２ａ，２２ｂ）の半田を外す必要があり、作業効率の改善が望まれていた。
【０００９】
また、複数の駆動部の半田による電気的接続のためのスペースが必要となり、ベース外径が大きくなってしまうおそれがあった。
【００１０】
そこで、本発明は、振れ補正機構、シャッタ機構、光量調節機構等の光学部材を同一のベース部材に組み込む際、組み立て作業効率およびスペース効率の向上を図ることができる光学装置を提供することを目的とする。
【課題を解決するための手段】
【００１１】
上記目的を達成するために、本発明の光学装置は、ベース部材に組み込まれたレンズ群を通して撮像手段に光を入射させる光学装置であって、前記ベース部材に、光軸に対して垂直な平面で移動自在に支持され、前記レンズ群を保持する保持部材と、前記ベース部材に取り付けられ、前記保持部材を駆動し、前記レンズ群による像振れを補正する振れ補正駆動手段と、前記ベース部材に組み込まれ、前記撮像手段に入射する光量を規制する光量規制手段と、前記ベース部材に取り付けられ、前記光量規制手段を駆動する光量規制駆動手段と、前記ベース部材に取り付けられ、前記振れ補正駆動手段および前記光量規制駆動手段が電気的に接続される基板とを備え、前記振れ補正駆動手段の前記基板への電気的接続は、前記ベース部材における前記保持部材の組み込み側とは異なる側で行われ、前記光量規制駆動手段の前記基板への電気的接続は、前記ベース部材における前記光量規制手段の組み込み側と異なる側で行われたことを特徴とする。
【発明の効果】
【００１２】
本発明の光学装置によれば、光学部材駆動手段の基板への電気的接続は、ベース部材における光学部材の組み込み側とは異なる側で行われた。これにより、振れ補正機構、シャッタ機構、光量調節機構等の光学部材を同一のベース部材に組み込む際、組み立て作業効率およびスペース効率の向上を図ることができる。
【００１３】
請求項２に係る光学装置によれば、光量規制駆動手段の電気接続側と、振れ補正駆動手段の電気接続側とが分割されているので、一方の側における電気接続範囲を全体に対して狭い範囲とすることができ、スペース効率が高まる。
【００１４】
請求項３に係る光学装置によれば、基板における光量規制駆動手段の電気的接続部分の近傍に、ベース部材の両側に配置された基板を連結する連結部が設けられたので、連結部を容易に固定することができる。
【００１５】
請求項４に係る光学装置によれば、基板が折り返される連結部の近傍の位置付近に、基板に当接する凸部を設けたので、光量規制駆動手段の電気的接続部分に加わる力を低減できる。
【図面の簡単な説明】
【００１６】
【図１】第１の実施形態におけるズームレンズ鏡筒の全体構成を示す分解斜視図である。
【図２Ａ】１群ユニット１００および第１移動カムユニット３００の構成を示す分解斜視図である。
【図２Ｂ】図２Ａと異なる方向から視た１群ユニット１００および第１移動カムユニット３００の構成を示す分解斜視図である。
【図３】第1カム筒３０１の内面の構造を示す展開図である。
【図４Ａ】２群ユニット２０００の構成を示す分解斜視図である。
【図４Ｂ】２群ユニット２０００の構成を示す分解斜視図である。
【図５】収納位置におけるズームレンズ鏡筒の構成を示す断面図である。
【図６】収納位置におけるズームレンズ鏡筒の構成を示す別の断面図である。
【図７】第２移動カムユニット４００の構成を示す分解斜視図である。
【図８】第２カム筒４０１の構造を示す展開図である。
【図９】第３カム筒４０２の内面の構造を示す展開図である。
【図１０】ＷＩＤＥ位置におけるズームレンズ鏡筒の構成を示す断面図である。
【図１１】ＴＥＬＥ位置におけるズームレンズ鏡筒の構成を示す断面図である。
【図１２】固定筒５００の内面の構造を示す展開図である。
【図１３】３群ユニット６００およびベースユニット７００の構造を示す分解斜視図である。
【図１４】３群ユニット６００を含む、収納位置におけるズームレンズ鏡筒の構成を示す断面図である。
【図１５Ａ】絞りシャッタユニット２１００の構成を示す分解斜視図である。
【図１５Ｂ】絞りシャッタユニット２１００の構成を示す分解斜視図である。
【図１６Ａ】２群ユニット２０００の構成部品を示す分解斜視図である。
【図１６Ｂ】２群ユニット２０００の構成部品を絞りシャッタユニット２１００に組み込む様子を示す図である。
【図１６Ｃ】２群ユニット２０００の構成部品を絞りシャッタユニット２１００に組み込む様子を示す図である。
【図１７Ａ】２群ユニット２０００を表側から見た斜視図である。
【図１７Ｂ】２群ユニット２０００を裏側から見た斜視図である。
【図１８】２群ユニット２０００の表側における電気接続範囲を示す図である。
【発明を実施するための形態】
【００１７】
本発明の光学装置の実施の形態について図面を参照しながら説明する。本実施形態の光学装置は、光軸方向に繰り出される複数段の筒部を有するズームレンズ鏡筒に適用され、デジタルカメラに装着される。
【００１８】
［第１の実施形態］
図１は第１の実施形態におけるズームレンズ鏡筒の全体構成を示す分解斜視図である。ズームレンズ鏡筒５０は、１群ユニット１００、第１移動カムユニット３００、２群ユニット２０００、第２移動カムユニット４００、固定筒５００、３群ユニット６００およびベースユニット７００から主に構成される。２群ユニット２０００には、絞りシャッタユニット２１００が含まれる。
【００１９】
図２Ａは１群ユニット１００および第１移動カムユニット３００の構成を示す分解斜視図である。図２Ｂは図２Ａと異なる方向から視た１群ユニット１００および第１移動カムユニット３００の構成を示す分解斜視図である。
【００２０】
１群ユニット１００は、第１レンズ群１０１、この第１レンズ群１０１を保持する１群筒１０２、およびこの１群筒１０２に取り付けられたレンズ前面のカバー部材１０３から構成される。１群筒１０２の外周側の面には、主カムフォロア１０２ａおよび副カムフォロア１０２ｂがそれぞれ周方向の３箇所に設けられている。また、１群筒１０２の内周側の面には、直進凸部１０２ｃがそれぞれ周方向の３箇所に設けられている。
【００２１】
図３は第1カム筒３０１の内面の構造を示す展開図である。第１カム筒３０１の外周側の面には、カムフォロア３０１ａおよび駆動ピン３０１ｂがそれぞれ周方向の３箇所に設けられている。
【００２２】
また、第１カム筒３０１の内周側の面には、１群筒１０２の主カムフォロア１０２ａと副カムフォロア１０２ｂにそれぞれ対応する主カム溝３０１ｃと副カム溝３０１ｄが設けられている。主カム溝３０１ｃと副カム溝３０１ｄは同一軌跡を有する。
【００２３】
主カムフォロア１０２ａと主カム溝３０１ｃは当接して係合する。副カムフォロア１０２ｂと副カム溝３０１ｄは、隙間が設定された状態にある。
【００２４】
また、第１カム筒３０１の内周側の面には、凹部３０１ｅが周方向の３箇所に設けられている。また、第１カム筒３０１の端部には、主カム溝３０１ｃと副カム溝３０１ｄを避ける、周方向の３箇所の位置に切り欠き部３０１ｆが設けられている。また、直進筒３０２の外周側の面には、１群筒１０２の内周側の面の３箇所に設けられた直進凸部１０２ｃとそれぞれ係合する直進凹部３０２ａが周方向の３箇所に設けられている。
【００２５】
また、直進筒３０２の外周側の面には、第１カム筒３０１の凹部３０１ｅと係合し、光軸方向の移動が規制されるとともに、互いに回転自在な結合状態となる凸部３０２ｂが周方向の３箇所に設けられている。
【００２６】
また、直進筒３０２の外周側の面には、直進キー部３０２ｃが周方向の３箇所に設けられている。また、直進筒３０２の端部には、第１カム筒３０１が所定の回転角度分だけ回転可能なように、切り欠き部３０２ｄが周方向の３箇所に設けられている。この切り欠き部３０２ｄは、第１カム筒３０１の切り欠き部３０１ｆと光軸方向に重なる位置となっている。
【００２７】
図４Ａ、図４Ｂは２群ユニット２０００の構成を示す分解斜視図である。図５は収納位置におけるズームレンズ鏡筒の構成を示す断面図である。図６は収納位置におけるズームレンズ鏡筒の構成を示す別の断面図である。
【００２８】
第２レンズ群２０１（第２のレンズ群）は、後述する２群レンズ保持部材２０２に組み込まれる。また、２群ベース部材２１０１は第３カム筒４０２に支持される。２群ベース部材２１０１の外周側の面には、フォロア部２１０１ａ、直進ガイド部２１０１ｂおよびフォロア基部２１０１ｃがそれぞれ周方向の２箇所に設けられている。
【００２９】
また、２群ベース部材２１０１の外周側の面には、穴部２１０１ｄ、およびこの穴部２１０１ｄと同軸の抜け止め穴２１０１ｅが設けられている（図５参照）。また、２箇所のフォロア部２１０１ａ、直進ガイド部２１０１ｂおよびフォロア基部２１０１ｃと、１箇所の穴部２１０１ｄおよび抜け止め穴２１０１ｅとは、２群ベース部材２１０１の周方向における１２０°等分の位置に設けられている。このように、２群ベース部材２１０１の外周面には、カムフォロアが複数設けられる。
【００３０】
バネ部材２１０２は、２群ベース部材２１０１に設けられている穴部２１０１ｄに組み込まれる。また、可動フォロア２１０３の一方の先端部は可動フォロア部２１０３ａとなっている。可動フォロア２１０３の外径部は、直進ガイド部２１０３ｂとなっており、２箇所の直進ガイド部２１０１ｂと同径である。
【００３１】
可動フォロア２１０３は、２群ベース部材２１０１の穴部２１０１ｄに組み込まれる。このとき、可動フォロア２１０３は、バネ部材２１０２を付勢しながら組み込まれる。可動フォロアの端部２１０３ｃは、抜け止め穴部２１０１ｅの外径より若干大きい寸法の外径を有しており、可動フォロアの端部２１０３ｃが抜け止め穴部２１０１ｅを通過すると、抜けないようにされている（図５参照）。
【００３２】
また、２群ベース部材２１０１には、後述するベース部材７０１に取り付けられるバネ部材７０２と周方向の３箇所で当接可能な受け面２１０１ｆ（図４Ｂ参照）、およびガイド軸７０１ｅに摺動自在に嵌合するガイド穴２１０１ｇが設けられている（図６参照）。
【００３３】
その他の２群ユニット２０００の構成の詳細については後述する。図７は第２移動カムユニット４００の構成を示す分解斜視図である。第２カム筒４０１の内周側の面には、カムフォロア３０１ａと係合するカム溝４０１ａ、および駆動ピン３０１ｂを貫通させるカム孔４０１ｂがそれぞれ３箇所に設けられている。カム溝４０１ａとカム孔４０１ｂは同一の軌跡を有する。また、第２カム筒４０１の内周側の面には、直進キー部３０２ｃと係合する直進溝４０１ｃがそれぞれ周方向の３箇所に設けられている。
【００３４】
また、第２カム筒４０１の面には、直進ガイド部２１０１ｂ、２１０３ｂがそれぞれ摺動可能に挿通される直進溝４０１ｄが周方向の３箇所にそれぞれフランジ部４０１ｅを貫通して設けられている。また、周方向の３箇所に設けられた、直進溝４０１ｄとフランジ部４０１ｅとの貫通部には、それぞれ直進溝有底部４０１ｆが形成されている。
【００３５】
図８は第２カム筒４０１の構造を示す展開図である。同図（ａ）は第２カム筒４０１の内面展開図であり、同図（ｂ）は外面展開図である。第２カム筒４０１の外周側の面には、テーパピン部４０１ｇと凸部４０１ｈがそれぞれ周方向および光軸方向に同じ位置関係で３箇所に設けられている。また、第２カム筒４０１の外周側の面には、それぞれ光軸方向に異なる位置関係で凸部４０１ｉが３箇所に設けられている。また、フランジ部４０１ｅの周方向の３箇所には、それぞれ直進キー部４０１ｊが設けられている。
【００３６】
１群筒１０２より２段低い第３カム筒４０２の外周側の面には、カムフォロア４０２ａが周方向の３箇所にそれぞれ設けられるとともに、ギア部４０２ｂが設けられている。図９は第３カム筒４０２の内面の構造を示す展開図である。第３カム筒４０２の内周側の面には、フォロア部２１０１ａと係合するカム溝４０２ｃが２箇所に設けられ、フォロア部２１０３ａと係合するカム溝４０２ｄが１箇所に設けられている。
【００３７】
また、第３カム筒４０２の内周側の面には、駆動ピン３０１ｂが係合する直進溝４０２ｅが周方向の３箇所にそれぞれ設けられている。また、第３カム筒４０２の内周側の面には、テーパピン部４０１ｇ、凸部４０１ｈ、４０１ｉにそれぞれ係合する凹部４０２ｆ、４０２ｈ、４０２ｇが周方向の３箇所にそれぞれ設けられている。これにより、第２カム筒４０１と第３カム筒４０２は、光軸方向の移動が規制され、互いに回転自在である。
【００３８】
図１０はＷＩＤＥ位置におけるズームレンズ鏡筒の構成を示す断面図である。図１１はＴＥＬＥ位置におけるズームレンズ鏡筒の構成を示す断面図である。図９、図１０、図１１を参照しながら、カム溝４０２ｃ、４０２ｄの構造の詳細について説明する。
【００３９】
図９の範囲（Ａ）は収納位置からＷＩＤＥ位置までの範囲を表す。範囲（Ｂ）はＷＩＤＥ位置からＴＥＬＥ位置までの範囲を表す。カム溝４０２ｃ、４０２ｄは同一の軌跡を有する。
【００４０】
図９の範囲（Ｆ）、（Ｊ）におけるカム溝４０２ｃ、４０２ｄは、同一の断面形状を有する。フォロア部２１０１ａ、可動フォロア部２１０３ａは、それぞれカム溝４０２ｃ、４０２ｄと係合した状態となる。このとき、可動フォロア２１０３は、バネ部材２１０２の付勢力により、カム溝４０２ｄからの反力を受け、フォロア部２１０１ａをカム溝４０２ｃに圧接させている（図１０のＷＩＤＥ位置、図１１のＴＥＬＥ位置参照）。
【００４１】
カム溝４０２ｃは、全域（図９の範囲（Ｃ）、（Ｄ）、（Ｅ））で同一のカム深さを有する。図９の範囲（Ｃ）において、フォロア部２１０１ａは、一方の面にのみ当接可能なカム断面形状を有する。また、図９の範囲（Ｆ）において、カム溝４０２ｃはフォロア部２１０１ａの当接面側のみ形成されている。図９の範囲（Ｅ）では、フォロア部２１０１ａは、他方のカム面にも係合するカム断面形状を有する。図９の範囲（Ｄ）では、フォロア部２１０１ａは、図９の範囲（Ｃ）のカム断面形状から範囲（Ｅ）のカム断面形状に徐々に変化するように形成されている。
【００４２】
図９の範囲（Ｇ）では、カム溝４０２ｄは、範囲（Ｉ）よりも深いカム深さに形成され、フォロア部２１０３ａが一方の面にのみ当接可能となる断面形状を有する（図５の収納位置参照）。このとき、可動フォロア２１０３は、バネ部材２１０２の付勢力が抜け止め穴部２１０１ｅで規制され、カム溝４０２ｄからの反力を受けていない状態となる。
【００４３】
また、図９の範囲（Ｊ）において、カム溝４０２ｄはフォロア部２１０３ａの当接面側のみ形成されている。図９の範囲（Ｉ）では、カム溝４０２ｄは、フォロア部２１０３ａが他方のカム面にも係合するカム断面形状を有する。
【００４４】
図９の範囲（Ｈ）では、カム溝４０２ｄは、範囲（Ｇ）のカム断面形状から範囲（Ｉ）のカム断面形状に徐々に変化するように形成されている。
【００４５】
図１２は固定筒５００の内面の構造を示す展開図である。固定筒５００の内周側の面には、カムフォロア４０２ａと係合するカム溝５００ａが周方向の３箇所に設けられている。また、固定筒５００の内周側の面には、直進キー部４０１ｊと係合する直進溝５００ｂが周方向の３箇所に設けられている。固定筒５００は、後述するベース部材７０１に取り付けられ、固定される。
【００４６】
図１３は３群ユニット６００およびベースユニット７００の構造を示す分解斜視図である。図１４は３群ユニット６００を含む、収納位置におけるズームレンズ鏡筒の構成を示す断面図である。３群レンズ保持部材６０２は３群レンズ６０１を保持する。３群レンズ保持部材６０２には、主ガイド部６０２ａおよび副ガイド部６０２ｂが設けられている。また、３群レンズ保持部材６０２には、バネ掛け部６０２ｃ、受け部６０２ｄおよび貫通孔６０２ｅが設けられている。
【００４７】
ガイド部材６０３は、３群レンズ保持部材６０２の主ガイド部６０２ａに嵌合される。ステッピングモータ６０４はスクリュー部６０４ａを有する。ナット部材６０５はスクリュー部６０４ａに螺合（ネジ結合）している。
【００４８】
ベース部材７０１には、ガイド部材６０３を圧入により固定するガイド固定部７０１ａ、７０１ｂ、および副ガイド部６０２ｂを光軸方向に摺動自在に嵌合するガイド軸７０１ｃが設けられている。
【００４９】
また、ベース部材７０１には、バネ部材６０６のバネ掛け部７０１ｄが設けられている。さらに、ベース部材７０１には、２群ベース部材２１０１のガイド穴２１０１ｇに摺動自在に嵌合されるガイド軸７０１ｅが設けられている。
【００５０】
バネ部材７０２は、ベース部材７０１の受け面７０１ｆに取り付けられ、収納位置において２群ベース部材２１０１を第１レンズ群１０１側（第１のレンズ群側）に付勢する。ギア部材７０３は、固定筒５００に回転自在に取り付けられ、第３カム筒４０２のギア部４０２ｂと噛合する（ギア連結される）。ギア部材７０４は、ギア部材７０３と噛合され（ギア連結され）ており、駆動源（図示せず）により駆動されて回転する。ＣＣＤ７０５（撮像手段）はベース部材７０１に固定される。
【００５１】
つぎに、絞りシャッタユニット２１００の構成について説明する。図１５Ａおよび図１５Ｂは絞りシャッタユニット２１００の構成を示す分解斜視図である。
【００５２】
２群ベース部材２１０１には、ボール受け部２１０１ｈが軸周方向の３箇所に設けられている。また、バネ掛け部２１０１ｉが軸周方向の２箇所に設けられている。また、爪部２１０１ｊが軸周方向の３箇所に設けられている。
【００５３】
コイル部材２１０４、２１０５（光学部材駆動手段、補正駆動手段）には、端子２１０４ａ、２１０５ａが設けられている。端子２１０４ａ、２１０５ａは、２群ベース部材２１０１に形成された貫通孔２１０１ｋ、２１０１ｌを貫通し、２群ベース部材２１０１に取り付けられる。
【００５４】
ステッピングモータ２１０６（光学部材駆動手段、光量規制駆動手段）には、ギア部材２１０７が取り付けられている。シャッタ駆動ユニット２１０８（光学部材駆動手段、光量規制駆動手段）には、コイル端子２１０８ａが２本設けられている。シャッタ駆動ユニット２１０８は、コイル端子２１０８ａを前側に向けて２群ベース部材２１０１に取り付けられる。また、シャッタ駆動ユニット２１０８には、マグネットと一体になったアーム２１０８ｂが設けられている。
【００５５】
フレキシブル基板２１０９はカメラ本体（図示せず）と接続される。また、フレキシブル基板２１０９には、ホール素子２１０９ａ、２１０９ｂが実装される。また、フレキシブル基板２１０９は、コイル部材２１０４、２１０５の端子２１０４ａ、２１０５ａ、ステッピングモータ２１０６の端子、およびシャッタ駆動ユニット２１０８の端子２１０８ａとそれぞれ電気的に接続されている。
【００５６】
また、ステッピングモータ２１０６、シャッタ駆動ユニット２１０８の電気接続側（一方の側）と、コイル部材２１０４、２１０５の電気接続側（他方の側）とを連結する連結部２１０９ｃ（図１７Ａ、図１７Ｂ参照）が設けられている。保持部材２１１０は、フレキシブル基板２１０９を保持するものであり、フレキシブル基板２１０９に接着で固定される。
【００５７】
絞りカム部材２１１１には、ギア部２１１１ａが形成されている。絞りカム部材２１１１は、光軸を中心に回動自在に、２群ベース部材２１０１に取り付けられている。
【００５８】
ギア部材２１１２は、２群ベース２１０１に回転自在に取り付けられており、ギア部材２１０７、およびカム部材２１１１のギア部２１１１ａに噛合（ギア連結）される。
【００５９】
３枚の絞り羽根２１１３には、穴部２１１３ａおよびカム孔２１１３ｂがそれぞれ形成されている。また、穴部２１１３ａは、２群ベース部材２１０１の軸部２１０１ｍに回動自在にそれぞれ嵌合される。
【００６０】
絞りカバー部材２１１４には、カム軸部２１１４ａが周方向の３箇所に設けられている。絞り羽根２１１３は、動作可能な光軸方向のスペースを確保した状態で、カム部材２１１１の穴部２１１１ｂにそれぞれ圧入により固定され、絞りカム部材２１１１と一体となって回動する。このとき、カム孔２１１３ｂは、絞りカバー部材２１１４のカム軸部２１１４ａに摺動自在に嵌合される。
【００６１】
プレート部材２１１５は、開口部２１１５ａを有し、２群ベース部材２１０１に取り付けられる。シャッタ羽根２１１６、２１１７には、それぞれ穴部２１１６ａ、２１１７ａおよび長穴２１１６ｂ、２１１７ｂが設けられている。穴部２１１６ａ、２１１７ａは、２群ベース部材２１０１の軸部２１０１ｎ、２１０１ｏに回動自在に嵌合されている。長穴２１１６ｂ、２１１７ｂは、シャッタ駆動ユニット２１０８のアーム２１０８ｂに摺動自在に嵌合される。
【００６２】
カバー部材２１１８は、開口部２１１８ａを有し、シャッタ羽根２１１６、２１１７が動作可能な光軸方向のスペースを確保した状態で、２群ベース部材２１０１に取り付けられる。
【００６３】
図１６Ａは２群ユニット２０００の構成部品を示す分解斜視図である。２群ユニット２０００には、第２レンズ群２０１、２群レンズ保持部材２０２、マグネット部２０２ａ、２０２ｂおよびバネ掛け部２０２ｃが設けられている。
【００６４】
マグネット部２０２ａ、２０２ｂは、それぞれコイル部材２１０４、２１０５に対向して配置されている。また、マグネット部２０２ａ、２０２ｂの磁界は、それぞれホール素子２１０９ａ、２１０９ｂによって検出される。
【００６５】
３個のボール部材２０３は、それぞれ２群ベース部材２１０１の周方向の３箇所に設けられたボール受け部２１０１ｈに組み込まれる。バネ部材２０４は、バネ掛け部２０２ｃ、２１０１ｉに掛けられ、２群レンズ保持部材２０２の受け面２０２ｄに挟まれた状態となる。カバー部材２０５は穴部２０５ａを有する。この穴部２０５ａが爪部２１０１ｊと係合することにより、カバー部材２０５は絞りシャッタユニット２１００に取り付けられる。
【００６６】
これらの部品を絞りシャッタユニット２１００に組み込むことで、２群ユニット２０００が構成される。
【００６７】
上記構成を有するズームレンズ鏡筒において、２群レンズホルダ２０２は、コイル部材２１０４、２１０５を通電することにより、光軸に対して直交する方向（光軸直交方向）に駆動可能である。また、ホール素子２１０９ａ、２１０９ｂによって、その位置検出が可能である。このような構成および駆動制御は、振れ補正手段として例えば特開２００５−１７３４１２号公報に示されるように周知のものである。
【００６８】
図１６Ｂおよび図１６Ｃは２群ユニット２０００の構成部品を絞りシャッタユニット２１００に組み込む様子を示す図である。２群ユニット２０００の構成部品を絞りシャッタユニット２１００に組み込む際、フレキシブル基板２１０９が接着により固定されている保持部材２１１０を、位置Ｘで折り返すように開き、上記構成部品を組み込むことが可能である。図１６Ｃは保持部材２１１０が開かれた状態を示す。
【００６９】
図１７Ａは２群ユニット２０００を表側から見た斜視図である。図１７Ｂは２群ユニット２０００を裏側から見た斜視図である。シャッタ駆動ユニット２１０８には、位置Ｘ付近でフレキシブル基板２１０９に当接する凸部２１０８ｄが設けられている。位置Ｘでフレキシブル基板２１０９が接着により固定されている保持部材２１１０を折り返す際、凸部２１０８ｄが折り返されるフレキシブル基板２１０９の折り返し部分に当接することで、コイル端子２１０８ａに加わる力が低減する。
【００７０】
また、シャッタ駆動ユニット２１０８の外周側には、押さえ部２１０８ｃが設けられており、フレキシブル基板２１０９の連結部２１０９ｃが外周側にふくらむことを押さえている。
【００７１】
図１８は２群ユニット２０００の表側における電気接続範囲を示す図である。ステッピングモータ２１０６、シャッタ駆動ユニット２１０８の電気接続側（表側）と、コイル部材２１０４、２１０５の電気接続側（裏側）とが分割されているので、表側における電気接続範囲Ｒは全体に比べて狭い範囲となっている。
【００７２】
つぎに、全体のズーム駆動について説明する。前述したように、図５には、収納位置にあるズームレンズ鏡筒が示されている。図１０には、ＷＩＤＥ位置にあるズームレンズ鏡筒が示されている。また、図１１には、ＴＥＬＥ位置にあるズームレンズ鏡筒が示されている。
【００７３】
駆動源（図示せず）によってギア部材７０４が回転させられると、その動力はギア部材７０３を介して第３カム筒４０２のギア部４０２ｂに伝達され、第３カム筒４０２が回転する。カムフォロア４０２ａが固定筒５００のカム溝５００ａと係合しているので、第３カム筒４０２は、カム溝５００ａのカム軌跡に沿って光軸方向に回転しながら移動する。
【００７４】
このとき、第２カム筒４０１は、テーパピン部４０１ｇ、凸部４０１ｈ、４０１ｉと凹部４０２ｆ、４０２ｈ、４０２ｇがそれぞれ係合して光軸方向の移動が規制され、互いに回転自在に結合された状態にある。
【００７５】
また、直進キー部４０１ｊが直進溝５００ｂと係合しており、第２カム筒４０１は光軸方向に直進移動する。
【００７６】
第１カム筒３０１は、駆動ピン３０１ｂが第３カム筒４０２の直進溝４０２ｅと係合しており、第３カム筒４０２が回転すると、第１カム筒３０１も回転させられる。
【００７７】
そして、第１カム筒３０１は、カムフォロア３０１ａがカム溝４０１ａと係合しているので、カム溝４０１ａのカム軌跡に沿って回転しながら光軸方向に移動する。このとき、直進筒３０２は、凸部３０２ｂと凹部３０１ｅが係合して光軸方向の移動が規制され、互いに回転自在に結合された状態にある。直進筒３０２は、直進キー部３０２ｃが直進溝４０１ｃと係合しているので、光軸方向に直進移動する。
【００７８】
１群筒１０２は、主カムフォロア１０２ａが第１カム筒３０１のカム溝３０１ｃに係合しているので、カム溝３０１ｃのカム軌跡に沿って光軸方向に移動する。このとき、直進凸部１０２ｃが直進凹部３０２ａと係合し、その回転が規制されているので、１群筒１０２は、光軸方向に直進移動する。
【００７９】
つぎに、２群ユニット２０００のズーム動作について説明する。２群ユニット２０００では、フォロア部２１０１ａ、可動フォロア部２１０３ａがそれぞれ第３カム筒４０２のカム溝４０２ｃ、４０２ｄと係合している。
【００８０】
また、直進ガイド部２１０１ｂ、２１０３ｂが直進溝４０１ｄと係合しているので、２群ユニット２０００は、カム溝４０２ｃ、４０２ｄのカム軌跡に沿って光軸方向に直進移動する。
【００８１】
収納位置（図１４参照）では、バネ部材７０２の付勢力により、２群ユニット２０００は、図９の範囲（Ｆ）、（Ｊ）でフォロア部２１０１ａ、２１０３ａがそれぞれカム溝４０２ｃ、４０２ｄの一方の面（１面）に当接された状態となっている。
【００８２】
また、２群ユニット２０００の光軸直交方向の位置を規制するために、フォロア部２１０１ａ、２１０３ａの先端部は、第２カム筒４０１の直進溝有底部４０１ｆと若干の隙間を有するように、位置している（図５参照）。このフォロア部２１０１ａ、可動フォロア部２１０３ａの先端部は第１の位置規制手段に対応する。
【００８３】
また、２群ベース部材２１０１のガイド穴２１０１ｇにベース部材７０１のガイド軸７０１ｅが嵌合している（図６参照）。つまり、ガイド軸７０１ｅはガイド穴２１０１ｇによって直進案内される。このガイド穴２１０１ｇとガイド軸７０１ｅは、第２の位置規制手段に対応する。
【００８４】
なお、これら２群ユニット２０００の光軸直交方向の位置規制としては、第１の位置規制手段および第２の位置規制手段のいずれか１つでも構わない。また、第２の位置規制手段では、ベース部材７０１にガイド軸７０１ｅが設けられているが、３群レンズ保持部材６０２の副ガイド部６０２ｂと摺動自在に嵌合するガイド軸７０１ｃとを第２の位置規制手段として兼用させる構成として構わない。
【００８５】
この状態から、第３カム筒４０２が回転させられると、２群ユニット２０００は、収納位置から撮影位置（図９の範囲（Ａ）、（Ｂ））に移動し、収納位置（図５参照）から撮影位置であるＷＩＤＥ位置（図１０参照）、ＴＥＬＥ位置（図１１参照）に駆動される。
【００８６】
ＴＥＬＥ位置において、２群ベース部材２１０１のフォロア基部２１０１ｃは、第１カム筒３０１の切り欠き部３０１ｆ、直進筒３０２の切り欠き部３０２ｄに位置する（図１１参照）。このように、フォロア基部２１０１ｃを２段目のカム筒である第１カム筒３０１と光軸方向にオーバーラップさせることで、第１レンズ群と第２レンズ群の間隔をより狭くすることが可能である。
【００８７】
つぎに、３群ユニットの動作について説明する（図１３、図１４参照）。３群ユニット６００は、ベース部材７０１に取り付けられる。
【００８８】
まず、３群レンズ６０１を保持した３群レンズ保持部材６０２をベース部材７０１に置き、ガイド部材６０３を主ガイド部６０２ａに嵌合させ、ガイド固定部７０１ａに固定する。この状態で、バネ部材６０６をバネ掛け部６０２ｃ、７０１ｄに掛ける。
【００８９】
そして、ナット部材６０５がスクリュー部６０４ａにネジ結合された状態で、スクリュー部６０４ａの先端部を貫通孔６０２ｅに貫通させ、ステッピングモータ６０４をベース部材７０１に取り付ける。
【００９０】
このように、バネ部材６０６のバネ力によりナット部材６０５は、スクリュー部６０４ａ側に付勢される（図１９参照）。そして、３群レンズ保持部材６０２は、繰り出し方向（図１４の矢印ｈ方向）に付勢されている状態となる。この状態から、ベース部材７０１に取り付けられた３群ユニットのステッピングモータ６０４に通電し、３群レンズ保持部材６０２を駆動させることで、フォーカス動作が行われる。
【００９１】
つぎに、絞りシャッタユニット２１００の動作について説明する。まず、絞り動作について説明する。
【００９２】
ステッピングモータ２１０６が通電されると、ギア部材２１０７の回転がギア部材２１１２およびギア部２１１１ａに伝達され、カム部材２１１１は光軸を中心に回転させられる。このとき、絞り羽根２１１３は、カム孔２１１３ｂのカム軌跡に沿って、軸部２１０１ｍに嵌合している穴部２１１３ａを中心に回転する。このように、絞り羽根部材２１１３が回転させられ、開口面積を変化させることが可能である（図１５Ｂ参照）。
【００９３】
つぎに、シャッタ動作について説明する。シャッタ駆動ユニット２１０８は、マグネットと一体になったアーム２１０８ｂが通電によって発生する磁界に作用し、光軸方向を軸として回動する。コイル端子２１０８ａへの通電の極性を反転させることにより、アーム２１０８ｂの回動方向が逆転する。このアーム２１０８ｂの回動により、シャッタ羽根２１１６、２１１７は、軸部２１０１ｎ、２１０１ｏを中心に回動して有効光束を遮断し、シャッタとして機能する（図１５Ｂ参照）。
【００９４】
このように、第１の実施形態のズームレンズ鏡筒５０は、２群ベース部材２１０１に組み込まれた第２レンズ群２０１を通してＣＣＤ７０５に光を入射させる。２群ベース部材２１０１には、光軸に垂直な平面で移動自在に支持され、第２レンズ群２０１を保持する２群レンズ保持部材２０２が組み込まれる。また、２群ベース部材２１０１には、２群レンズ保持部材２０２を駆動し、第２レンズ群２０１による像振れを補正するコイル部材２１０４、２１０５が取り付けられる。また、２群ベース部材２１０１には、ＣＣＤ７０５に入射する光量を規制するシャッタ羽根２１１６、２１１７が組み込まれる。また、２群ベース部材２１０１には、シャッタ羽根２１１６、２１１７を駆動するシャッタ駆動ユニット２１０８が取り付けられる。また、保持部材２１１０に接着により固定され、２群ベース部材２１０１に取り付けられるフレキシブル基板２１０９には、コイル部材２１０４、２１０５、ステッピングモータ２１０６およびシャッタ駆動ユニット２１０８が電気的に接続される。コイル部材２１０４、２１０５のフレキシブル基板２１０９への電気的接続は、２群ベース部材２１０１における２群レンズ保持部材２０２の組み込み側とは異なる側で行われる。また、ステッピングモータ２１０６やシャッタ駆動ユニット２１０８のフレキシブル基板２１０９への電気的接続は、２群ベース部材２１０１における絞り羽根２１１３、シャッタ羽根２１１６、２１１７の組み込み側と異なる側で行われる。従って、振れ補正機構、シャッタ機構、光量調節機構等の光学部材を同一のベース部材に組み込む際、組み立て作業効率およびスペース効率の向上を図ることができる。
【００９５】
また、シャッタ駆動ユニット２１０８やステッピングモータ２１０６のフレキシブル基板２１０９への電気的接続は、２群レンズ保持部材２０２の組み込み側で行われる。一方、コイル部２１０４、２１０５のフレキシブル基板２１０９への電気的接続は、絞り羽根２１１３、シャッタ羽根２１１６、２１１７の組み込み側で行われる。このように、シャッタ駆動ユニット２１０８やステッピングモータ２１０６の電気接続側と、コイル部２１０４、２１０５の電気接続側とが分割されているので、一方の側における電気接続範囲を全体に対して狭い範囲とすることができ、スペース効率が高まる。
【００９６】
また、シャッタ駆動ユニット２１０８の電気的接続部分であるコイル端子２１０８ａの近傍に、２群ベース部材２１０１の両側に配置されたフレキシブル基板２１０９を連結する連結部２１０９ｃが設けられたので、連結部２１０９ｃを容易に固定することができる。
【００９７】
また、フレキシブル基板２１０９が折り返される連結部２１０９ｃの近傍の位置付近（位置Ｘ付近）に、フレキシブル基板２１０９に当接する凸部２１０８ｄが設けられた。これにより、フレキシブル基板２１０９を折り返す際、シャッタ駆動ユニット２１０８のコイル端子２１０８ａに加わる力が低減する。
【００９８】
また、ズームレンズ鏡筒５０では、収納位置において、バネ部材７０２の付勢力により、２群ユニット２０００のフォロア部２１０１ａ、可動フォロア部２１０３ａはそれぞれカム溝４０２ｃ、４０２ｄの一方の面に当接された状態となる。このように、カム溝４０２ｃ、４０２ｄを一方の面のみ設けて収納状態とすることが可能となり、第３カム筒４０２の光軸方向の長さを短くすることができる。
【００９９】
また、図９の範囲（Ｃ）、（Ｇ）では、フォロア部２１０１ａ、可動フォロア２１０３ａにそれぞれ対応させ、カム溝４０２ｃ、４０２ｄの断面の形状が異なるように形成されている。これにより、２群ベース部材２１０１にフォロア部２１０１ａおよび可動フォロア２１０３を設けることが可能となり、安定した２群ユニット２０００のズーム駆動が得られる。
【０１００】
また、前述した第１の位置規制手段または第２の位置規制手段を設けることにより、２群ユニット２０００の光軸直交方向の位置を規制し、２群ユニット２０００を収納位置で安定させることができる。
【０１０１】
また、第１カム筒３０１の主カム溝３０１ｃと副カム溝３０１ｄを避けた位置に切り欠き部３０１ｆが設けられる。また、直進筒３０２の切り欠き部３０２ｄは、切り欠き部３０１ｆと光軸方向に重なる位置に設けられている。そして、ＴＥＬＥ位置において、フォロア基部２１０１ｃが切り欠き部３０１ｆ、３０２ｄに位置することで、１群ユニット１００と２群ユニット２０００の間隔が短くなる。
【０１０２】
また、２群ユニット２０００への組み込み時、フレキシブル基板２１０９が接着により固定されている保持部材２１１０を、図１６Ｂ、図１６Ｃに示すように位置Ｘで折り返すように開いて組み込むことが可能である。これにより、絞りシャッタユニット２１００をユニット状態で管理することが容易となる。
【０１０３】
以上、本発明の好ましい実施形態について説明したが、本発明はこれらの実施形態に限定されず、その要旨の範囲内で種々の変形及び変更が可能である。
【０１０４】
例えば、光学部材として、像振れ補正装置、シャッタ機構、光学絞り機構を示したが、ＮＤフィルタ機構など他の光学部材の機構についても、本発明は同様に適用可能である。
【０１０５】
上記実施形態では、ズームレンズ鏡筒がカメラに固定されているタイプのカメラを例に挙げて説明したが、カメラに着脱可能なズームレンズ鏡筒でも上記実施形態を達成することが可能であることは言うまでもない。
【０１０６】
また、上記実施形態では、デジタルカメラを例に説明したが、本発明は、デジタルビデオカメラ等にも適用可能である。
【０１０７】
また、上記実施形態では、カメラに適用された場合を示したが、レンズを用いた装置として、光記録装置、電子顕微鏡、望遠鏡など光学装置全般に適用可能である。
【符号の説明】
【０１０８】
２０１  第２レンズ群
２０２  ２群レンズ保持部材
２１０１  ２群ベース部材
２１０４、２１０５  コイル部材
２１０６  ステッピングモータ
２１０８  シャッタ駆動ユニット
２１０９  フレキシブル基板
２１１３  絞り羽根
２１１６、２１１７  シャッタ羽根
【図１】
0005460171.tif 000002
【図２Ａ】
0005460171.tif 000003
【図２Ｂ】
0005460171.tif 000004
【図３】
0005460171.tif 000005
【図４Ａ】
0005460171.tif 000006
【図４Ｂ】
0005460171.tif 000007
【図５】
0005460171.tif 000008
【図６】
0005460171.tif 000009
【図７】
0005460171.tif 000010
【図８】
0005460171.tif 000011
【図９】
0005460171.tif 000012
【図１０】
0005460171.tif 000013
【図１１】
0005460171.tif 000014
【図１２】
0005460171.tif 000015
【図１３】
0005460171.tif 000016
【図１４】
0005460171.tif 000017
【図１５Ａ】
0005460171.tif 000018
【図１５Ｂ】
0005460171.tif 000019
【図１６Ａ】
0005460171.tif 000020
【図１６Ｂ】
0005460171.tif 000021
【図１６Ｃ】
0005460171.tif 000022
【図１７Ａ】
0005460171.tif 000023
【図１７Ｂ】
0005460171.tif 000024
【図１８】
0005460171.tif 000025